(57)【要約】      （修正有）【課題】回転多角形の対応する反射ファセットの必要に合わせたプロセス横断方向の光源輝度バンディング補正プロファイルを用いる電子バンディング補正が採用されるラスタ出力スキャナおよび印刷システム、並びに印刷システムにおけるバンディングを減らすための方法を提供する。【解決手段】回転多角形は、画像データに従って感光体の全体または一部に画像を生成するために、印刷システムの感光体への変調光出力を高速走査方向に沿って走査するための複数の反射ファセットを装備している。さらに、ドライバに、回転多角形の所定の反射ファセットによる走査中に、複数のバンディング補正プロファイルのうちの所定の反射ファセットに対応する所定の１つを用いて、バンディングを減らすべく変調光出力の出力レベルを選択的に変えさせるＲＯＳコントローラが装備される。【選択図】図１
2013120391.tif 000002
【特許請求の範囲】
【請求項１】
ＲＯＳを通るプロセス経路に沿って感光体の一部上へ画像を生成するためのラスタ出力スキャナ（ＲＯＳ）であって、
光出力を生成する働きをする少なくとも１つの光源と、
少なくとも１つの変調光出力を生成するために、前記少なくとも１つの光源を画像データに従って選択的に作動する働きをするドライバと、
前記画像データに従って前記感光体の少なくとも一部上へ画像を生成するために、印刷システムの感光体への直接または間接的な前記少なくとも１つの光源の前記少なくとも１つの変調光出力を高速走査方向に沿って個々に走査する働きをする複数の反射ファセットを有する回転多角形を備えるモータ・ポリゴン・アセンブリと、
前記所定の反射ファセットに対応する複数のバンディング補正プロファイルのうちの所定の１つに従ってバンディングを減らすために、前記回転多角形の所定の反射ファセットによる走査の間に、前記ドライバに、前記少なくとも１つの光源によって与えられる前記少なくとも１つの変調光出力の出力レベルを選択的に変えさせるように、前記ドライバと機能的に結合されるコントローラとを備えるラスタ出力スキャナ（ＲＯＳ）。
【請求項２】
前記少なくとも１つの光源は、光出力を生成する働きをする少なくとも１つのレーザを備える、請求項１に記載のＲＯＳ。
【請求項３】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記一部上へ画像を生成するために、前記複数の変調光出力を前記高速走査方向に沿って直接または間接的に前記感光体へ方向づける働きをし、かつ、
前記コントローラは、前記所定の反射ファセットに対応する複数のバンディング補正プロファイルのうちの所定の１つに従ってバンディングを減らすために、前記回転多角形の所定の反射ファセットによる走査の間に、前記ドライバに、前記複数の光源によって与えられる前記複数の変調光出力の出力レベルを選択的に変えさせる働きをする、請求項１に記載のＲＯＳ。
【請求項４】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記部分上へ画像を生成するために、前記複数の変調光出力を前記高速走査方向に沿って直接または間接的に前記感光体へ方向づける働きをし、かつ、
前記コントローラは、前記個々の光源および前記所定の反射ファセットに対応するバンディング補正プロファイルに従ってバンディングを減らすために、前記回転多角形の所定の反射ファセットによる走査の間に、前記ドライバに、前記複数の光源によって与えられる前記複数の変調光出力のうちの個々の１つの出力レベルを選択的に変えさせる働きをする、請求項１に記載のＲＯＳ。
【請求項５】
前記コントローラへ前記回転多角形の前記所定の反射ファセットのアイデンティティの指示を提供するエンコーダをさらに備え、前記コントローラは、前記エンコーダからの前記指示に従って前記所定の反射ファセットに対応する前記複数のバンディング補正プロファイルのうちの前記所定の１つを選択する働きをする、請求項１に記載のＲＯＳ。
【請求項６】
文書処理システムであって、
マーキング材料を中間媒体上へ転写する働きをする少なくとも１つのマーキングデバイスと、
前記中間媒体の進行経路に近接して位置合わせされ、かつ前記マーキング材料を前記中間媒体から印刷可能媒体へ転送する働きをする転写ステーションと、
前記ＲＯＳを通るプロセス経路に沿って進む前記中間媒体の一部上へ画像を生成するために、前記少なくとも１つのマーキングステーションに機能的に関連づけられるラスタ出力スキャナ（ＲＯＳ）とを備え、前記ＲＯＳは、
光出力を生成する働きをする少なくとも１つの光源と、
少なくとも１つの変調光出力を生成するために、前記少なくとも１つの光源を画像データに従って選択的に作動する働きをするドライバと、
前記画像データに従って前記感光体の少なくとも一部上へ画像を生成するために、印刷システムの感光体への直接または間接的な前記少なくとも１つの光源の前記少なくとも１つの変調光出力を高速走査方向に沿って個々に走査する働きをする複数の反射ファセットを有する回転多角形を備えるモータ・ポリゴン・アセンブリと、
前記所定の反射ファセットに対応する複数のバンディング補正プロファイルのうちの所定の１つに従ってバンディングを減らすために、前記回転多角形の所定の反射ファセットによる走査の間に、前記ドライバに、前記少なくとも１つの光源によって与えられる前記少なくとも１つの変調光出力の出力レベルを選択的に変えさせるように、前記ドライバと機能的に結合されるコントローラとを備える文書処理システム。
【請求項７】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記一部上へ画像を生成するために、前記複数の変調光出力を前記高速走査方向に沿って直接または間接的に前記感光体へ方向づける働きをし、かつ、
前記コントローラは、前記所定の反射ファセットに対応する複数のバンディング補正プロファイルのうちの所定の１つに従ってバンディングを減らすために、前記回転多角形の所定の反射ファセットによる走査の間に、前記ドライバに、前記複数の光源によって与えられる前記複数の変調光出力の出力レベルを選択的に変えさせる働きをする、請求項６に記載の文書処理システム。
【請求項８】
前記少なくとも１つの光源は、個々に対応する光出力を生成する働きをする複数の光源を備え、
前記ドライバは、対応する複数の変調光出力を生成するために、対応するスキャンライン画像データに従って個々に前記複数の光源を選択的に作動する働きをし、
前記回転多角形は、前記画像データに従って前記感光体の少なくとも前記部分上へ画像を生成するために、前記複数の変調光出力を前記高速走査方向に沿って直接または間接的に前記感光体へ方向づける働きをし、かつ、
前記コントローラは、前記個々の光源および前記所定の反射ファセットに対応するバンディング補正プロファイルに従ってバンディングを減らすために、前記回転多角形の所定の反射ファセットによる走査の間に、前記ドライバに、前記複数の光源によって与えられる前記複数の変調光出力のうちの個々の１つの出力レベルを選択的に変えさせる働きをする、請求項６に記載の文書処理システム。
【請求項９】
前記ＲＯＳは、前記コントローラへ前記回転多角形の前記所定の反射ファセットのアイデンティティの指示を提供するエンコーダを備え、前記コントローラは、前記エンコーダからの前記指示に従って前記所定の反射ファセットに対応する前記複数のバンディング補正プロファイルのうちの前記所定の１つを選択する働きをする、請求項６に記載の文書処理システム。
【請求項１０】
印刷システムにおけるバンディングを減らすための方法であって、
少なくとも１つの変調光出力を生成するために、画像データに従って少なくとも１つの光源を選択的に作動することと、
前記画像データに従って前記感光体の少なくとも一部上へ画像を生成するために、回転多角形の含む反射ファセットのうちの所定の１つを用いて、印刷システムの感光体への直接または間接的な前記少なくとも１つの光源の前記少なくとも１つの変調光出力を高速走査方向に沿って個々に走査することと、
前記所定の反射ファセットに対応する複数のバンディング補正プロファイルのうちの所定の１つに従って、前記所定の反射ファセットによる走査の間に、前記少なくとも１つの光源によって与えられる前記少なくとも１つの変調光出力の出力レベルを選択的に変えることを含む方法。
【発明の詳細な説明】
【技術分野】
【０００１】
本件の例示的な実施形態は、ラスタ出力スキャナ（ＲＯＳ）装置を有する印刷システムに関し、かつバンディングエラーを減じるための技術に関する。
【背景技術】
【０００２】
複写印刷システムは、用紙または他の優れた媒体上へマーキング画像を生成するために用いられ、生成画像の品質向上が継続的な目標として存在する。最終的な画像品質は、複写システムにおけるノイズおよびエラーの様々なソースによって影響され、最終印刷媒体へ定着されるマーキング材料の濃度変化が引き起こされる。複写プロセスにおいて、感光体はプロセス方向に沿って進み、画像およびテキストは、ラスタ走査プロセスにおいてプロセス横断方向に個々のスキャンラインまたはスキャンラインのグループ（スワスと称される場合もある）として形成される。この場合、プロセス方向動作はプロセス横断方向へのラスタ走査より遙かに遅い。したがって、プロセス横断の走査方向は「高速走査」方向と称されることがあり、かつプロセス方向は「低速走査」方向と称される。
【０００３】
複写システムのノイズおよびエラーの所定のソースは、プロセス方向に「バンディング」エラーと称される場合もある周期的な濃度変化を引き起こしてきた。周期的濃度変化は、基本振動数に対する振動数、振幅および位相、並びに高調波によって特徴づけられる。バンディングの様々なソースは、マーキング（またはプリント）エンジン内に存在する。例えば、ラスタ出力スキャナはモータ・ポリゴン・アセンブリまたはＭＰＡとして知られるモータ駆動の回転多面鏡装置を使用し、この場合、１つまたは複数の光源がＭＰＡの回転によって走査され、回転多面鏡装置の反射ファセットからの反射によって高速走査（プロセス横断）方向にスキャンラインが発生される。
【０００４】
多角形の異なる反射ファセットにおける反射率、形状、プロファイル、方向性、他の差は、どの多角形ファセットを用いて所定のスキャンラインまたはスキャンラインのスワスが生成されたかの関数である最終的なプリントアウトにおける画像濃度（色の強さ）の差に繋がる。その結果、最終的な印刷画像は、プロセス方向に周期的である所望される濃度からの変動したバンドを含む場合がある。バンディングエラーの他のソースには、帯電および現像モジュールにおけるギヤ、ピニオンおよびローラ、画像化モジュールにおけるジッタおよびぶれ、並びに感光体および関連の駆動トレインが含まれる。バンディングは、通常、プロセス方向における中間調の周期的濃度変化として発現する。これらの欠陥の周期は、バンディングソースの周回振動数に関連づけられる。対処されなければ、特にバンディングエラーが視認できる場合、このようなプロセス方向の周期的濃度変化は複写印刷システムを容認し難いものにする可能性がある。
【０００５】
バンディングは、このようなノイズまたはエラーのソースを減らすことを通じて、かつ／またはその影響を打ち消すように複写システムの様々なコンポーネントを補正することによって、典型的にはこのような周期的濃度変化のソースの結果として生じるバンディングを相殺する既知のエラーを注入することにより、対処されることが可能である。ラスタ出力スキャナを用いる複写システムでは、ＭＰＡ（モータ・ポリゴン・アセンブリ）の１倍（および倍数）の回転振動数でバンディングを生成する多様なエラーが存在する。実際には、ＭＰＡ調波のバンディングに寄与するエラーソースを完全に排除することは困難であり、または知覚可能な周期的濃度変化を回避できる程度までこれらを減らすことすら困難である。加えて、顧客の要求は、容認できると思われるバンディングの量を絶えず減じている。結果的に、バンディング補正技術は、複写システムのパフォーマンス仕様への対処において１つの重大なツールとなっている。例えば、ＲＯＳの露光パワーはバンディングを補正すべく制御式に変えられることが可能であり、従来のバンディング補正技術は、バンディングに対処するために、バンディング（複数ソースからのものを含む）を測定しかつ情報を用いてスキャンラインに対し何らかのスキャンラインベースの補正戦略（ＲＯＳ露光変動を含む）を作動することを含む。しかしながら、従来のバンディング補正手法は、バンディングのプロセス横断（高速走査）方向の濃度変化に対処せず、プロセス横断方向の平均的なテストプリントによって一次元的なバンディングプロファイルを入手し、これが次にバンディング補正を導出するためにプロセス横断のバンディング濃度変化情報とは独立して使用される。
【発明の概要】
【発明が解決しようとする課題】
【０００６】
本明細書は、回転多角形の特定の反射ファセットに対応するプロセス横断方向の光源輝度バンディング補正プロファイルを用いる、プリンタ、多機能デバイス、他等の複写システムにおける電子バンディング補正に関する。したがって、開示されるシステムおよび技術は、ラスタ出力スキャナに帰属し得るプロセス方向変化のプロセス横断依存性を補正する能力を提供する。特定の実施形態において、開示される技術は、ファセット依存性の変化を含むＲＯＳ多角形（周回）エラーに起因する周期的濃度変化を補正するための電子バンディング補正を提供する。この点に関連して、発明者らは、ＭＰＡ高調波バンディングの振幅および位相がプロセス横断（高速走査）方向に変わる可能性があり、かつ開示されるシステムおよび技術が、高速走査方向に変わる、ある実施形態ではＲＯＳ光出力プロファイルであるアクチュエータを提供することを認識した。結果として、異なるプロセス横断方向位置で異なる振幅および位相を有する場合があるプロセス方向の周期的変化は補正されることが可能であるが、これは、従来のバンディング補正技術を用いるこれまでは不可能であった。
【課題を解決するための手段】
【０００７】
本明細書では、レーザ等の単一または複数の光源、並びに１つまたは複数の変調光出力を生成すべく画像データに従って光源を選択的に作動するためのドライバを含む場合がある、本明細書の様々な態様による文書処理システムおよびそのラスタ出力スキャナを提供する。回転多角形は、画像データに従って感光体の全体または一部に画像を生成するために、印刷システムの感光体への変調光出力を高速走査方向に沿って走査するための複数の反射ファセットを装備している。さらに、ドライバに、回転多角形の所定の反射ファセットによる走査中に、複数のバンディング補正プロファイルのうちの所定の反射ファセットに対応する所定の１つを用いて、バンディングを減らすべく変調光出力の出力レベルを選択的に変えさせるＲＯＳコントローラが装備される。従来のスマイル補正が、走査の始点（ＳＯＳ）の縁から走査の終わり（ＥＯＳ）の縁までの光透過率変動を、レーザ出力を変えるためのプロファイルを高速走査方向に印加することにより補正することに留意されたい。しかしながら、どのＲＯＳ多角形ファセットが現行使用されているかに関わらず光出力に印加される従来のスマイル補正プロファイルとは異なり、本明細書の実施形態は、ある特定のバンディング補正プロファイルを対応する多角形ファセットに関連づけ、これにより、高速走査方向に沿って光出力の選択的調整が提供される。この手法は、効果的には、多角形ファセット、他等のバンディングエラーソースにおける高速走査方向位置依存変化の補正を容易にする。
【０００８】
所定の多ビームＲＯＳ実施形態において、複数光源の変調出力は所定の反射多角形ファセットによってプロセス横断方向に走査され、かつコントローラはドライバに、個々の光源および所定の反射ファセットに対応するバンディング補正プロファイルに従って複数の変調光出力のうちの個々の１つの出力レベルを選択的に変えさせる。このようにして、バンディング補正プロファイルは、バンディング低減をさらに向上させるために、複数の光源の個々の１つへ特殊化されてもよい。さらに、ある実施形態において、エンコーダはコントローラへ所定の反射ファセットのアイデンティティの指示を出し、コントローラは、エンコーダからの指示に従って所定の反射ファセットに対応するスマイル補正プロファイルを選択する。
【０００９】
本明細書のさらなる態様によれば、印刷システムにおけるバンディングを減らすための方法が提供される。この方法は、１つまたは複数の変調光出力を生成するために、画像データに従って１つまたは複数の光源を選択的に作動することを含む。またこの方法は、画像データに従って上に画像を生成するために、回転多角形の複数の反射ファセットのうちの所定の１つを用いて感光体への直接または間接的な変調光出力を高速走査方向に沿って走査することも含む。さらに、この方法は、所定の反射ファセットに対応する複数のバンディング補正プロファイルのうちの所定の１つに従って、走査中に変調光出力の出力レベルを選択的に変えることも含む。
【図面の簡単な説明】
【００１０】
【図１】図１は、本明細書の１つまたは複数の態様による、ファセット固有のバンディング補正プロファイルを生成しかつ印刷システムにおけるバンディングを減らすための例示的な一方法を示すフロー図である。
【図２】図２は、本明細書の様々な態様による、マーキングデバイスが個々にＲＯＳを含む例示的な多色文書処理システムを示すシステムレベル簡易略図である。
【図３】図３は、本明細書の一態様による、バンディングエラーを補正するためのＭＰＡファセット固有バンディング補正プロファイルを用いる例示的なＲＯＳを示す簡易略図である。
【図４】図４は、本明細書の一態様による、バンディングエラーを補正するためのＭＰＡファセット固有バンディング補正プロファイルを用いる例示的なＲＯＳを示す簡易略図である。
【図５】図５は、本明細書の一態様による、バンディングエラーを補正するためのＭＰＡファセット固有バンディング補正プロファイルを用いる例示的なＲＯＳを示す簡易略図である。
【発明を実施するための形態】
【００１１】
本明細書は、多ファセットのモータ・ポリゴン・アセンブリ（ＭＰＡ）の個々のファセットに特殊化された補正プロファイルデータを用いる、単一または多ビームＲＯＳを使用する印刷システムにおけるバンディングの補正に関する。発明者らは、印刷システムにおけるＭＰＡ高調波バンディングが高頻度でプロセス横断（高速走査）方向に振幅および位相を変えること、および従来のバンディング補正技術はこの高速走査方向変化に対応していないことを認識している。さらに、発明者らは、スマイル補正として知られる従来の高速走査方向の補正が、プロセス横断方向のバンディングエラー、具体的にはＲＯＳ
ＭＰＡに関連づけられるものに対処できないことを発見している。
【００１２】
したがって、本明細書は、ＲＯＳ  ＭＰＡ反射ファセットに特殊化された補正プロファイルを用いてバンディングを補正または低減することができるラスタ出力スキャナ装置および電子バンディング補正技術を提供し、この概念は、複写プリンタおよび文書処理システムを含む、但しこれらに限定されない様々なラスタ出力走査アプリケーションにおいて効果的に使用されることが可能である。これらの概念を、印刷または文書処理システムにおける関連のスキャナおよび光学装置によるラスタ出力走査を用いる、中間転写媒体（例えば、感光体ドラムまたはベルト）等の受光構造体上へ画像を作成するためのマーキングデバイスを備える例示的な文書処理システムにおいて例示しかつ説明する。しかしながら、本明細書の技術およびＲＯＳシステムは、他の形式の画像生成システムまたはレンダリングシステムにおいて実装されてもよい。
【００１３】
図１は、まず、順序づけられたテストパターンおよび感知スキームを介して二次元補正１０を学習し、次にＭＰＡファセット毎に、かつ場合により多レーザＲＯＳにおける各光源毎にバンディング補正プロファイルを生成することによってファセット固有のバンディング補正プロファイル２０６を生成するための例示的な方法２を示し、前記バンディング補正プロファイルは次に、ＲＯＳコントローラによる使用のために文書処理システムに格納されることが可能である。さらに、図１の方法２は、高速走査方向における走査の間の、現行ＭＰＡファセット２２６に対応するバンディング補正プロファイルを用いる印刷システムにおけるバンディング低減２０を示す。
【００１４】
図１の１２では、ファセット固有の輝度変化が、テストプリントにおいて、文書処理システム（例えば、図２〜図５のシステム１００）を用いて印刷されたテストページ上のプロセス方向およびプロセス横断方向位置の関数として特徴づけられる。場合により、１２では、文書処理システム１００が多ビームＲＯＳを含む場合、テストプリントを用いてレーザ固有の輝度変化を特徴づけることが可能である。この点に関連して、ファセット固有の輝度変化は上述のようにテストプリントを用いて、または複写システムにおける任意のロケーションで測定される輝度変化を用いて特徴づけられることが可能であって、前記測定値はテストプリントから入手されるものであっても、文書処理システム１００内の他の任意のロケーションにおけるものであってもよいことに留意されたい。例えば、印刷システム内の感光体上に現像された画像の輝度を測定するオンボードセンサが使用されることが可能であって、これにより、図１の１２において、ファセット固有の輝度変化の測定値が入手されかつ特徴づけられることが可能である。このようなセンサは、この目的で使用されることが可能であると同時に、バンディングアーティファクトに対して垂直である筋の補正等の他の目的でも使用されることが可能である。１４では、従来のスマイル補正の特性決定を行って、例えば、感光体２０４のインボードの走査始点（ＳＯＳ）の縁からそのアウトボードの走査終了（ＥＯＳ）の縁までの異なる位置において輝度変化を引き起こすプロセス横断方向効果（例えば、光透過効率の変化）を特徴づけることができる。１６では、任意の適切なアルゴリズムまたは数学的技術を用いてＭＰＡファセット２２６毎にバンディング補正プロファイル２０６が生成され、これにより、テストプリントにおける輝度変化は、生成された補正プロファイル２０６による光源輝度出力（パワー出力）の調整を介して打ち消され、または減らされる。この点に関連して、補正プロファイル２０６は任意の数字セット、ルックアップ表、パラメトリック方程式、他であることが可能であり、ＲＯＳドライバはこれにより、システム１００の作動中に画像データのプロセス横断方向走査に使用される１つまたは複数のレーザまたは他の光源の光出力を選択的に調整することができる。ある実施形態、例えば複数の光源２１４を含む実施形態（後述の図５）では、１６において、バンディング補正プロファイル２０６は、各ＭＰＡファセット２２６の個々の光源２１４毎に、または光源２１４のグループ毎に生成されることが可能である。１８において、生成されたバンディング補正プロファイル２０６は、ＲＯＳコントローラ２０２およびドライバ２１２（図３〜図５）による後続使用のために例えば文書処理システム１００の電子メモリに格納される。
【００１５】
また図１は、文書処理システム１００の作動においてバンディングを減らすために使用されることが可能なプロセス２０も示している。２２では、現行のＭＰＡファセットが、例えばＲＯＳコントローラ２０２により、モータ・ポリゴン・アセンブリへ機能的に結合されるロータリエンコーダ２０８（図３）の出力を用いて決定される。２４では、ＲＯＳ２００の１つまたは複数のレーザ出力レベルが、２２において決定された現行のＭＰＡファセット２２６に対応する１つまたは複数のバンディング補正プロファイル２０６に従って選択的に変えられる。この方法では、先行するバンディング補正技術とは異なり、ある特定のＭＰＡファセット２２６の特有の効果を用いて１つまたは複数の対応するバンディング補正プロファイル２０６が発生され、かつ作動に使用される１つまたは複数のバンディング補正プロファイル２０６は光源２１４の光出力の走査に使用されている現行のＭＰＡファセット２２６に従って選択され、これにより、プロセス横断方向バンディングの効果を低減または排除することができる。さらに、従来のスマイル補正とは異なり、図１の技術は、ある所定の回転多角形およびそのファセット２２６に関連づけられるプロセス横断方向のエラーを考慮し、かつバンディング補正プロファイル２０６はこれらの効果を打ち消すように構築されかつ使用される。
【００１６】
図２〜図５は、本明細書の１つまたは複数の態様による、バンディングを減らすために、格納されたバンディング補正プロファイル２０６を用いて１つまたは複数の変調光出力２２２の出力レベルが選択的に変えられる文書処理システム１００（図２）およびそのＲＯＳ２００（図３〜図５）を示す。図２には、ある例示的なタンデム多色文書処理システム１００がシステムコントローラ１２２と共に示されている。マーキングデバイス１０２は、個々に、上述の方法２に従ってバンディングを補正するように初期設定される場合も、その後に調整される場合もあるＲＯＳ２００（図３〜図５）を含む。マーキングデバイスまたは印刷エンジン１０２は、個々に、トナーマーキング材料を、感光体である場合もそうでない場合もある中間基材１０４上へ、この事例では図中でマーキングデバイス１０２を通過して反時計回りの方向へ進む共用の中間転写ベルト（ＩＴＢ）１０４上へ転写する。
【００１７】
図３に示されているように、ある実施形態において、マーキングデバイス１０２は個々に、カットシート用紙等の最終的な印刷可能媒体１０８への最終画像転写より前の中間転写ベルト１０４への後続転写のための中間転写基材として使用される円筒ドラム感光体２０４を含む。図示されている印刷システム１００は、媒体供給装置から経路Ｐ１に沿って進む最終印刷媒体１０８の上側へＩＢＴ１０４からマーキング材料を転写するために、ＩＢＴ経路の下側部分に沿ってマーキングデバイス１０２の下流側に転送コンポーネントまたはステーション１０６（図２）を含む。図２における転写ステーション１０６において印刷媒体１０８へトナーが転写された後、最終印刷媒体１０８は経路Ｐ１に沿って定着器型付着装置１１０へ供給され、転写されたマーキング材料はここで印刷媒体１０８へ定着される。他の実施形態では、単一の感光体ベルト１０４をマーキングデバイス１０２と共に用いて感光体ベルト１０４上へ画像が形成され、ベルト上に現像された画像が印刷媒体（例えば、用紙）へ直に転写される。この点に関連して、本明細書に例示されかつ説明されているバンディング補正技術は、中間ベルト転写（ＩＢＴ）型システムおよび／または非ＩＢＴシステムにおいて使用されることが可能である。
【００１８】
システムコントローラ１２２は様々な制御機能を実行し、かつシステム１００のためのデジタルフロントエンド（ＤＦＥ）機能を実装してもよい。コントローラ１２２は、単一式であるか、複数の処理コンポーネントに分散式に実装されるかに関わらず、任意の適切な形式のハードウェア、プロセッサ実行ソフトウェアおよび／またはファームウェア、プログラマブル論理またはこれらの組合せであってもよい。正常な印刷モードにおいて、コントローラ１２２は到来する印刷ジョブ１１８を受信し、かつ印刷ジョブ１１８の画像データに従ってマーキング材料をＩＴＢ１０４上へ転写するために１つまたは複数のマーキングデバイス１０２を作動する。マーキングデバイス１０２の作動において、マーキング材料（例えば、図２における第１のデバイス１０２用のトナー１５１）はマーキングデバイス１０２のＲＯＳ２００を介して内部ドラム感光体２０４（図３に略示）へ供給される。中間媒体１０４の表面は、感光体２０４に隣接しかつ／または接触していて、トナー１５１は、ＩＴＢ１０４がドラム２０４とバイアス転写ローラ（図示せず）との間のニップを通過するにつれて、反対に帯電しているトナー１５１をドラム２０４からＩＴＢ表面上へ引き付けるためのバイアス転写ローラの補助によってＩＴＢ１０４へ転写される。トナー１５１は、理想的には、ニップを通過後も、これに続く図２における転写デバイス１０６および定着器１１０を介する最終印刷媒体１０８への転送および定着のためにＩＴＢ１０４の表面上に留まる。図２の多色例において、各電子写真マーキングデバイス１０２は、コントローラ１２２の制御下で、対応する色（例えば、シアン（Ｃ）、マゼンタ（Ｍ）、イエロー（Ｙ）、ブラック（Ｋ））のトナー１５１〜１５４を転写ベルト１０４へ転写する働きをする。
【００１９】
通常の動作では、印刷ジョブ１１８はコントローラ１２２において、スキャナ（図示せず）等の内部ソースを介して、かつ／または１つまたは複数のネットワークを介してシステム１００へ接続される１つまたは複数のコンピュータ等の外部ソースから、または無線ソースから受信される。印刷ジョブの実行は、選択されたテキスト、ライングラフィクス、画像、磁気インク文字認識（ＭＩＣＲ）表記法、他を１枚または複数枚の用紙または他の最終印刷媒体１０８の表側および／または裏側またはページへ印刷することを含んでもよい。この点に関連して、用紙の中には、特別な印刷ジョブ１１８に従って完全な白紙として残されるものがあってもよく、混合色および白黒印刷を有するものがあってもよい。印刷ジョブ１１８の実行はさらに、仕上がった用紙を所定の順序に並べること、並びに用紙を指定通りに折り畳む、ホッチキスでとめる、穴を打ち抜く、またはその他物理的に扱う、または束ねることを含んでもよい。システム１００は、マーキングステーション１０２の内部および／または外部に、例えば中間転写ベルト１０４または他の感光体に対する、または最終印刷媒体１０８に関連する１つまたは複数のマーキング材料転写特性を測定するために１つまたは複数のセンサ１６０を含むことができ、よって対応するフィードバック信号または値がコントローラ１２２へ提供される。
【００２０】
図３〜図５に示されているように、例示的な電子写真ステーション１０２は各々、複数のビーム２２２を用いてドラム型感光体２０４（図３に部分断面図でページ内へのプロセス方向を伴って示されている）の遠回りの長さ沿いに潜像を生成する単ビームまたは多ビームのＲＯＳ２００を含む。多ビームＲＯＳ２００のコンテキストで示されているが、本明細書の様々な態様は、単ビームＲＯＳにおいても使用されることが可能である。ＲＯＳコントローラ２０２は、１つまたは複数の制御信号または制御値をドライバ２１２およびＲＯＳクロック２０１へ提供し、かつコントローラ２０２から、例えばある実施形態では４つのレーザより成る８グループのレーザ・エミッタ・アレイとして配列される３２個のレーザ型光源２１４に関連づけられるドライバ２１２へ画像データストリームが提供される。ＲＯＳコントローラ２０２はＲＯＳクロック２０１も作動し、ＲＯＳクロック２０１はクロック出力をドライバ２１２へ、および多角形モータの速度制御２２８ａと複数の反射（例えば、ミラー付き）外面またはファセット２２６（図３の例では８個のファセット２２６）を備える回転多角形２２８とを含むモータ・ポリゴン・アセンブリ（ＭＰＡ）へ提供する。
【００２１】
運転中は、図２のプリンタにおけるパネル画像の単色部分に関連づけられるドライバ２１２へ画像データストリームが提供され、ドライバ２１２は、入力された画像データに準じて複数の変調された光出力またはビーム２２２を生成するためにレーザ２１４を変調する。レーザビーム光出力２２２は調整用光学素子２２４内へ入り、次に回転多角形２２８のファセット２２６を照射する。光ビーム２２２は多角形ファセット２２６から反射され、結像光学素子２３０を介して、通過する感光体２０４のドラムの感光性像平面部分上に対応するスポットを形成する。ファセット２２６の回転により、スポットは像平面に渡ってプロセス横断または高速走査方向に掃引または走査され、感光体２０４が進む「遅速走査」またはプロセス方向に対して概して垂直に連続するスキャンラインが形成される。ＲＯＳ２００の多ビーム配置では、このような３２本のスキャンラインがグループまたはスワスとして同時に作成され、個々のレーザ２１４へ提供される画像データが適宜インタリーブされる。多角形２２８の連続する回転式ファセット２２６は、感光体２０４がプロセス方向に進むにつれて、互いからオフセットされる３２スキャンラインより成る連続セットまたはスワスを形成する。この点に関連して、各ファセット２２６は３２スキャンラインを走査してもよいが、感光体２０４は、次のファセット２２６からの上側の１６スキャンラインがインタリーブ式またはオーバーラップ式に先のファセット２２６からの下側の１６スキャンラインと重なり得るように移動してもよい。この点に関連して、開示される概念は、スキャンラインがインタリーブによって、またはインタリーブなしに上書き（オーバーラップ）されるシステムにおいて、および／またはインタリーブを使用する、後続のスワスからのスキャンラインが先のスワスからのスキャンラインの間に書き込まれるシステムにおいて、またはこれらが組み合わされた、またはこれらの変形であるシステムにおいて使用されることが可能である。
【００２２】
さらに、３２スキャンラインによる各セット内で、レーザ・エミッタ・アレイ２１４は、隣接するスキャンラインのスペーシングが理想的には均一であるように個々の光出力２２２の機械的スペーシングを設ける。本例におけるこのような各スキャンラインは、レーザスポットが像平面を走査するにつれて対応する画像データに従って対応するレーザビーム２２２を変調することにより生成されるピクセル列から成り、ここで個々のスポットは、入力される画像データに従って感光体２０４上の個々のロケーションを選択的に照射する、または照射を控えるように、ビームによるスキャンラインの走査に伴って様々なポイントで照射され、または照射されない。このようにして、トナー画像を受け入れるべき感光体２０４のエリアを選択的に放電することにより、潜像が生成される。プリントされるべき画像の露光（描画）された部分はトナー蒸着ステーション（図示せず）へと進み、トナーはここで画像の描画／放電された部分へ付着する。付着性トナーが付着した画像の露光部分は、次に、トナー画像を中間転写ベルト（先の図２におけるＩＴＢ１０４）へ転写するためのバイアスされた転写ローラ（ＢＴＲ、図示せず）を備える転写ステーションへ進む。
【００２３】
さらに、図３〜図５に示されているように、ＲＯＳドライバ２１２は、最終印刷媒体１０８におけるバンディングを減らすために、所定の反射ファセット２２６による走査の間、１つまたは複数の光源２１４により与えられる光出力２２２の出力レベルを変えるというＲＯＳコントローラ２０２の指示に従ってバンディング矯正または補正プロファイル２０６を選択的に使用する。ＭＰＡ多角形２２８は、次に、媒体２０４の少なくとも一部に画像を生成するために、変調光出力２２２を高速走査方向沿いに感光媒体２０４へと配向する。さらに、図３に示されているように、多角形２２８の現行ファセット２２６の回転は、直接または間接的に感光体２０４へ向かう１つまたは複数の変調光出力２２２を高速走査方向に沿って走査し、この場合、多角形のファセット２２６と感光体２０４との間には１つまたは複数の光学コンポーネントが存在することがあり、図３はその１つの簡易例（レンズ２３０）を示している。運転中、ＲＯＳ２００（図３〜図５）のコントローラ２０２はドライバ２１２に、所定の反射ファセット２２６に対応するバンディング補正プロファイル２０６のうちの所定の１つに従ってバンディングを減らすように、所定の反射ファセット２２６による走査の間、光源２１４により与えられる光出力２２２の出力レベルを選択的に変えさせる。
【００２４】
ある実施形態において、ＲＯＳ２００はＲＯＳコントローラ２０２へ出力を与えるＭＰＡエンコーダ２０８を含み、前記出力は、現行で光出力２２２を走査している回転多角形２２８の所定の反射ファセット２２６のアイデンティティを示す任意の信号または値であることが可能である。次にコントローラ２０２は、ＭＰＡエンコーダ２０８からの表示に従って、所定の反射ファセット２２６に対応する複数のバンディング補正プロファイル２０６のうちの所定の１つを選択する。このようにして、選択された１つまたは複数のバンディング補正プロファイル２０６は現行使用されているＭＰＡファセット２２６に対応することを保証され、したがって、この現行のＭＰＡファセット２２６に関連づけられる特定のバンディング効果は、適切な（対応する）１つまたは複数のバンディング補正プロファイル２０６の選択を介して効果的に減じられることが可能である。
【００２５】
図４に示されているように、複数の光源２１４（例えば、図示されている例では３２個のレーザ２１４より成るアレイ）を用いるある実施形態において、コントローラ２０２はドライバ２１２に、現行のＭＰＡファセット２２６に対応する単一のプロファイル２０６に従って光源２１４により与えられる全ての変調光出力２２２の出力レベルを選択的に変えさせてもよい。ある可能な実装において、ＲＯＳ２００は、レーザ源２１４の動作を制御する特定用途向け集積回路（ＡＳＩＣ）等のプログラマブル論理を含んでもよい。
【００２６】
ある実施形態におけるＲＯＳ  ＡＳＩＣは、コントローラ２０２およびドライバ２１２が、高速走査方向に渡る走査の始点（ＳＯＳ）から走査の終わり（ＥＯＳ）までレーザの出力レベルを変えることを許容する（ＳＯＳおよびＥＯＳは、図３に略示されている）。この特徴は、ＭＰＡファセットとは独立している場合のある濃度変化に関して、高速走査／プロセス横断方向のＲＯＳ出力の輝度変化および光学系効果を補正するために、「スマイル補正」用に単純化された形で使用され得ることに留意されたい。さらに、先に図１の１４において述べたように、このような効果は、例えばバンディング補正プロファイル２０６の生成において特徴づけられかつ使用されることが可能であり、正常な「スマイル補正」効果は、生成されたバンディング補正プロファイル２０６が非ファセット固有（スマイル補正）効果並びにファセット固有バンディング効果の双方を打ち消す働きをするように、ファセット固有のバンディング効果の特性決定に追加される。
【００２７】
さらに、図４の例において、コントローラ２０２は、ＭＰＡエンコーダ２０８からの指示を用いてＲＯＳ２００におけるプロセス横断方向走査にどのＭＰＡファセット２２６が現行で使用されているかを識別し、かつ（例えば、ＲＯＳメモリに格納されている）複数のプロファイル２０６から対応するバンディング補正プロファイル２０６を選択しかつドライバ２１２に、選択されたプロファイル２０６に従ってレーザアレイ２１４の出力を修正または変更させる。例えば、レーザアレイ２１４からの光出力２２２を反射するために現行で使用されているファセットが第１のＭＰＡファセット２２６（図３におけるファセット「１」）であれば、コントローラ２０２はＭＰＡエンコーダ２０８から現行ファセット２２６の指示を受信し、かつ適宜ＭＰＡファセット「１」のためのバンディングプロファイル２０６を選択する。この例では、ＲＯＳ２００はバンディング補正プロファイル２０６の整数「ｉ」を格納する。但し、回転多角形２２８が合計８個の反射ファセット２２６を含む例示された状況では、ｉ＝８である。他に、ｉが２以上の任意の正の整数である実装も可能であるが、ｉは所定の回転多角形２２８のファセット２２６の数に一致する。
【００２８】
他の実施形態では、ＲＯＳ２００は単一のレーザまたは他のタイプの光源２１４を使用してもよく、この場合、コントローラ２０２は、エンコーダ２０８からの指示に従って、多角形ファセット２２６の数に一致する整数ｉ個のプロファイル２０６（ｉは２以上）を含む複数のバンディング補正プロファイル２０６から特定の１つのバンディングプロファイル２０６を選択する。
【００２９】
図５も参照すると、所定の１つのＭＰＡファセット２２６に関して２つ以上のバンディング補正プロファイル２０６が使用される、複数（例えば、例示されている実装では３２個）のレーザ光源２１４を用いる別の例が示されている。ある可能な実施形態では、各ＭＰＡファセット２２６について、各光源２１４用に１つのプロファイル２０６ｉ，Ｎが提供されている。例えば、８個の回転ファセット２２６（ｉ＝８）および３２個の光源２１４（Ｎ＝３２）を備える多角形２２８を有するＲＯＳ２００では、ＲＯＳ２００内に合計２５６個のバンディング補正プロファイル２０６を格納することができ、コントローラ２０２は、所定の１つの現行ＭＰＡファセット２２６について３２個のプロファイル２０６より成るグループを選択する。コントローラ２０２は、次に、ドライバ２１２に、選択された３２個のプロファイル２０６のうちの対応する１つに従って対応するレーザ光源２１４の出力を選択的に変更させる。ある可能な実装において、ＲＯＳ２００は、３２の個々のスマイル補正関数を修正するケイパビリティを提供するＡＳＩＣまたは他の論理を含んでもよく、この場合、コントローラ２０２はこのような論理を、ファセット固有のプロファイル２０６をスマイル補正関数として使用するために、かつこれらを現行で使用されているＭＰＡファセット２２６に従って更新するために利用することができる。他の可能な実施形態では、所定の１つのＭＰＡファセット２２６について２つ以上のバンディング補正プロファイル２０６を用いることができ、この場合、２つ以上の光源２１４が同じファセット固有のプロファイル２０６を用いることができる。
【００３０】
したがって、上述の諸実施形態は、プロセス横断方向のバンディング効果がスキャンラインベースで、かつ／またはスワスベースで補正されることを可能にし（電子バンディング矯正または補正）、これにより、プロセス横断方向に（振幅および位相）変化を含む所定の文書処理システム１００における測定可能なＭＰＡ高調波バンディングの制御が促進され、この場合、ＲＯＳコントローラ２０２は、プロセス横断／高速走査方向に振幅および位相が変わるスマイル補正関数のファセット毎の変化を使用することができ、これが走査の始点（ＳＯＳ）ロケーションと走査の終わり（ＥＯＳ）ロケーションとの間の全ての高速走査ロケーションにおいてＭＰＡ高調波バンディングを補正する。
【図１】
2013120391.tif 000003
【図２】
2013120391.tif 000004
【図３】
2013120391.tif 000005
【図４】
2013120391.tif 000006
【図５】
2013120391.tif 000007